【手続補正書】
【提出日】平成20年6月13日(2008.6.13)
【手続補正１】
【補正対象書類名】特許請求の範囲
【補正対象項目名】全文
【補正方法】変更
【補正の内容】
【特許請求の範囲】
【請求項１】
記憶媒体が有する複数のフォルダから選択された複数のファイルを処理する印刷制御装置であって、
フォルダ単位の印刷順とフォルダ内でのファイルの印刷順とをそれぞれ設定する設定手段と、
前記設定手段での設定に基づいて並び替えられた順序で、前記選択された複数のファイルの印刷を制御する印刷制御手段と
を備えることを特徴とする印刷制御装置。
【請求項２】
前記印刷制御手段は、一枚の紙に複数のフォルダに記憶されているファイルを印刷する場合には、フォルダ間を視覚的に区別する為の区切り画像も印刷するように制御することを特徴とする請求項１に記載の印刷制御装置。
【請求項３】
前記設定手段は更に、フォルダの順序に関わらず、選択された全ての画像を設定されたファイルの印刷順で並び替えるように設定可能であることを特徴とする請求項１又は２に記載の印刷制御装置。
【請求項４】
記憶媒体が有する複数のフォルダから選択された複数のファイルを処理する印刷制御装置が行う印刷制御方法であって、
フォルダ単位の印刷順とフォルダ内でのファイルの印刷順とをそれぞれ設定する設定工程と、
前記設定工程での設定に基づいて並び替えられた順序で、前記選択された複数のファイルの印刷を制御する印刷制御工程と
を備えることを特徴とする印刷制御方法。
【請求項５】
前記印刷制御工程では、一枚の紙に複数のフォルダに記憶されているファイルを印刷する場合には、フォルダ間を視覚的に区別する為の区切り画像も印刷するように制御することを特徴とする請求項４に記載の印刷制御方法。
【請求項６】
前記設定工程では更に、フォルダの順序に関わらず、選択された全ての画像を設定されたファイルの印刷順で並び替えるように設定可能であることを特徴とする請求項４又は５に記載の印刷制御方法。
【請求項７】
コンピュータに、請求項４乃至６の何れか１項に記載の印刷制御方法を実行させるためのプログラム。
【請求項８】
請求項７に記載のプログラムを格納した、コンピュータ読み取り可能な記憶媒体。
【請求項９】
記憶媒体が有する複数のフォルダから選択された複数のデータファイルを処理する印刷制御装置であって、
フォルダ一覧を表示するフォルダ一覧表示エリアと、選択フォルダ内に記憶されているファイル一覧を表示するファイル一覧表示エリアとを有するウインドウを表示するウインドウ表示手段と、
前記フォルダ一覧表示エリア内の新たなフォルダが指示手段によって指示された場合、当該指示されたフォルダを選択フォルダとし、当該選択フォルダ内の、印刷対象となる新たなデータファイルが前記指示手段で指示された場合、当該指示されたデータファイルを特定する情報を、前記選択フォルダと関連付けてファイルリストに記憶する記憶手段と、
前記記憶手段に記憶された情報に基づき、選択データファイルを格納するフォルダ毎に、フォルダ内の選択データファイルを前記指示手段によって指示された順序でもって並び替えるデータファイル並び替え手段と、
フォルダ毎に並び替えられた選択データファイルに係る情報を、設定されたフォルダ順序でもってページリストに登録する登録手段と
を備えることを特徴とする印刷制御装置。
【請求項１０】
更に、前記ページリストに登録された情報に対応する選択データファイルを、当該登録の順序でもって印刷装置に印刷させる手段を備えることを特徴とする請求項９に記載の印刷制御装置。
【請求項１１】
更に、フォルダ内の選択データファイルと、当該フォルダの次のフォルダ内の選択データファイルとを視覚的に区別して前記印刷装置に印刷させる為の制御情報を前記ページリストに登録する手段を備えることを特徴とする請求項１０に記載の印刷制御装置。
【請求項１２】
更に、前記ページリストに登録された情報に対応する選択データファイルを、当該登録の順序でもって表示装置に表示させる手段を備えることを特徴とする請求項９に記載の印刷制御装置。
【請求項１３】
更に、
選択データファイルを格納するフォルダを前記指示手段によって指示された順序でもって並び替えるフォルダ並び替え手段を備え、
前記登録手段は、フォルダ毎に並び替えられた選択データファイルに係る情報を、前記フォルダ並び替え手段によって並び替えたフォルダ順序でもってページリストに登録することを特徴とする請求項９乃至１２の何れか１項に記載の印刷制御装置。
【請求項１４】
記憶媒体が有する複数のフォルダから選択された複数のデータファイルを処理する印刷制御装置が行う印刷制御方法であって、
フォルダ一覧を表示するフォルダ一覧表示エリアと、選択フォルダ内に記憶されているファイル一覧を表示するファイル一覧表示エリアとを有するウインドウを表示するウインドウ表示工程と、
前記フォルダ一覧表示エリア内の新たなフォルダが指示手段によって指示された場合、当該指示されたフォルダを選択フォルダとし、当該選択フォルダ内の、印刷対象となる新たなデータファイルが前記指示手段で指示された場合、当該指示されたデータファイルを特定する情報を、前記選択フォルダと関連付けてファイルリストに記憶する記憶工程と、
前記記憶工程で記憶された情報に基づき、選択データファイルを格納するフォルダ毎に、フォルダ内の選択データファイルを前記指示手段によって指示された順序でもって並び替えるデータファイル並び替え工程と、
フォルダ毎に並び替えられた選択データファイルに係る情報を、設定されたフォルダ順序でもってページリストに登録する登録工程と
を備えることを特徴とする印刷制御方法。
【請求項１５】
コンピュータに請求項１４に記載の印刷制御方法を実行させる為のプログラム。
【請求項１６】
請求項１５に記載のプログラムを格納した、コンピュータ読み取り可能な記憶媒体。
【請求項１７】
記憶媒体が有する複数のフォルダから選択された複数のデータファイルを処理する印刷制御装置であって、
フォルダ一覧を表示するフォルダ一覧表示エリアと、選択フォルダ内に記憶されているファイル一覧を表示するファイル一覧表示エリアとを有するウインドウを表示するウインドウ表示手段と、
前記フォルダ一覧表示エリア内の新たなフォルダが指示手段によって指示された場合、当該指示されたフォルダを選択フォルダとし、当該選択フォルダ内の、印刷対象となる新たなデータファイルが前記指示手段で指示された場合、当該指示されたデータファイルを特定する情報を、前記選択フォルダと関連付けてファイルリストに記憶する記憶手段と、
前記記憶手段に記憶された情報に基づき、選択データファイルを格納するフォルダ毎に、フォルダ内の選択データファイルを前記指示手段によって指示された順序でもって並び替えるデータファイル並び替え手段と、
フォルダ毎に並び替えられた複数の選択データファイルに係る情報を、設定されたフォルダ順序でもって、１枚の用紙にレイアウトするレイアウト手段と
を備えることを特徴とする印刷制御装置。
【請求項１８】
記憶媒体が有する複数のフォルダから選択された複数のデータファイルを処理する印刷制御装置が行う印刷制御方法であって、
フォルダ一覧を表示するフォルダ一覧表示エリアと、選択フォルダ内に記憶されているファイル一覧を表示するファイル一覧表示エリアとを有するウインドウを表示するウインドウ表示工程と、
前記フォルダ一覧表示エリア内の新たなフォルダが指示手段によって指示された場合、当該指示されたフォルダを選択フォルダとし、当該選択フォルダ内の、印刷対象となる新たなデータファイルが前記指示手段で指示された場合、当該指示されたデータファイルを特定する情報を、前記選択フォルダと関連付けてファイルリストに記憶する記憶工程と、
前記記憶工程で記憶された情報に基づき、選択データファイルを格納するフォルダ毎に、フォルダ内の選択データファイルを前記指示手段によって指示された順序でもって並び替えるデータファイル並び替え工程と、
フォルダ毎に並び替えられた複数の選択データファイルに係る情報を、設定されたフォルダ順序でもって、１枚の用紙にレイアウトするレイアウト工程と
を備えることを特徴とする印刷制御方法。
【請求項１９】
コンピュータに請求項１８に記載の印刷制御方法を実行させる為のプログラム。
【請求項２０】
請求項１９に記載のプログラムを格納した、コンピュータ読み取り可能な記憶媒体。
【手続補正２】
【補正対象書類名】明細書
【補正対象項目名】０００９
【補正方法】変更
【補正の内容】
【０００９】
本発明の目的を達成するために、例えば、本発明の印刷制御装置は以下の構成を備える。
即ち、記憶媒体が有する複数のフォルダから選択された複数のファイルを処理する印刷制御装置であって、
フォルダ単位の印刷順とフォルダ内でのファイルの印刷順とをそれぞれ設定する設定手段と、
前記設定手段での設定に基づいて並び替えられた順序で、前記選択された複数のファイルの印刷を制御する印刷制御手段と
を備えることを特徴とする。
本発明の目的を達成するために、例えば、本発明の印刷制御方法は以下の構成を備える。
即ち、記憶媒体が有する複数のフォルダから選択された複数のファイルを処理する印刷制御装置が行う印刷制御方法であって、
フォルダ単位の印刷順とフォルダ内でのファイルの印刷順とをそれぞれ設定する設定工程と、
前記設定工程での設定に基づいて並び替えられた順序で、前記選択された複数のファイルの印刷を制御する印刷制御工程と
を備えることを特徴とする。
【手続補正３】
【補正対象書類名】明細書
【補正対象項目名】００１０
【補正方法】変更
【補正の内容】
【００１０】
即ち、記憶媒体が有する複数のフォルダから選択された複数のデータファイルを処理する印刷制御装置であって、
フォルダ一覧を表示するフォルダ一覧表示エリアと、選択フォルダ内に記憶されているファイル一覧を表示するファイル一覧表示エリアとを有するウインドウを表示するウインドウ表示手段と、
前記フォルダ一覧表示エリア内の新たなフォルダが所定の指示手段によって指示された場合、当該指示されたフォルダを選択フォルダとし、当該選択フォルダ内の、印刷対象となる新たなデータファイルが前記所定の指示手段で指示された場合、当該指示されたデータファイルを特定する情報を、前記選択フォルダと関連付けて所定のファイルリストに記憶する記憶手段と、
前記記憶手段に記憶された情報に基づき、選択データファイルを格納するフォルダ毎に、フォルダ内の選択データファイルを前記所定の指示手段によって指示された順序でもって並び替えるデータファイル並び替え手段と、
フォルダ毎に並び替えられた選択データファイルに係る情報を、所定のフォルダ順序でもってページリストに登録する登録手段と
を備えることを特徴とする。
【手続補正４】
【補正対象書類名】明細書
【補正対象項目名】００１２
【補正方法】変更
【補正の内容】
【００１２】
即ち、記憶媒体が有する複数のフォルダから選択された複数のデータファイルを処理する印刷制御装置が行う印刷制御方法であって、
フォルダ一覧を表示するフォルダ一覧表示エリアと、選択フォルダ内に記憶されているファイル一覧を表示するファイル一覧表示エリアとを有するウインドウを表示するウインドウ表示工程と、
前記フォルダ一覧表示エリア内の新たなフォルダが所定の指示手段によって指示された場合、当該指示されたフォルダを選択フォルダとし、当該選択フォルダ内の、印刷対象となる新たなデータファイルが前記所定の指示手段で指示された場合、当該指示されたデータファイルを特定する情報を、前記選択フォルダと関連付けて所定のファイルリストに記憶する記憶工程と、
前記記憶工程で記憶された情報に基づき、選択データファイルを格納するフォルダ毎に、フォルダ内の選択データファイルを前記所定の指示手段によって指示された順序でもって並び替えるデータファイル並び替え工程と、
フォルダ毎に並び替えられた選択データファイルに係る情報を、所定のフォルダ順序でもってページリストに登録する登録工程と
を備えることを特徴とする。
【手続補正５】
【補正対象書類名】明細書
【補正対象項目名】００１４
【補正方法】変更
【補正の内容】
【００１４】
即ち、記憶媒体が有する複数のフォルダから選択された複数のデータファイルを処理する印刷制御装置であって、
フォルダ一覧を表示するフォルダ一覧表示エリアと、選択フォルダ内に記憶されているファイル一覧を表示するファイル一覧表示エリアとを有するウインドウを表示するウインドウ表示手段と、
前記フォルダ一覧表示エリア内の新たなフォルダが所定の指示手段によって指示された場合、当該指示されたフォルダを選択フォルダとし、当該選択フォルダ内の、印刷対象となる新たなデータファイルが前記所定の指示手段で指示された場合、当該指示されたデータファイルを特定する情報を、前記選択フォルダと関連付けて所定のファイルリストに記憶する記憶手段と、
前記記憶手段に記憶された情報に基づき、選択データファイルを格納するフォルダ毎に、フォルダ内の選択データファイルを前記所定の指示手段によって指示された順序でもって並び替えるデータファイル並び替え手段と、
フォルダ毎に並び替えられた複数の選択データファイルに係る情報を、所定のフォルダ順序でもって、１枚の用紙にレイアウトするレイアウト手段と
を備えることを特徴とする。
【手続補正６】
【補正対象書類名】明細書
【補正対象項目名】００１６
【補正方法】変更
【補正の内容】
【００１６】
即ち、記憶媒体が有する複数のフォルダから選択された複数のデータファイルを処理する印刷制御装置が行う印刷制御方法であって、
フォルダ一覧を表示するフォルダ一覧表示エリアと、選択フォルダ内に記憶されているファイル一覧を表示するファイル一覧表示エリアとを有するウインドウを表示するウインドウ表示工程と、
前記フォルダ一覧表示エリア内の新たなフォルダが所定の指示手段によって指示された場合、当該指示されたフォルダを選択フォルダとし、当該選択フォルダ内の、印刷対象となる新たなデータファイルが前記所定の指示手段で指示された場合、当該指示されたデータファイルを特定する情報を、前記選択フォルダと関連付けて所定のファイルリストに記憶する記憶工程と、
前記記憶工程で記憶された情報に基づき、選択データファイルを格納するフォルダ毎に、フォルダ内の選択データファイルを前記所定の指示手段によって指示された順序でもって並び替えるデータファイル並び替え工程と、
フォルダ毎に並び替えられた複数の選択データファイルに係る情報を、所定のフォルダ順序でもって、１枚の用紙にレイアウトするレイアウト工程と
を備えることを特徴とする。